(57)【特許請求の範囲】
【請求項１】
パチンコ機の発射操作部の操作量に応じた発射力で発射機を発射動作させるパチンコ球発射装置において、
前記発射機の発射動作を開始する時は、前記発射操作部を、その初期位置からパチンコ球を遊技盤面に打ち出すことができる発射力に相当する第１操作位置まで操作した時に前記発射機の発射動作を開始させる発射開始手段と、
前記発射機の発射動作を停止する時は、前記初期位置と前記第１操作位置との間に位置する第２操作位置まで前記発射操作部を戻し操作した時に前記発射機の発射動作を停止させる発射停止手段とを備え、
前記発射開始手段により発射動作を開始した後に、前記発射操作部が前記第１操作位置と前記第２操作位置との間に位置する時は、発射動作開始時よりも弱く且つパチンコ球を遊技盤面に打ち出すことができる発射力でパチンコ球を発射させるように構成されていることを特徴とするパチンコ球発射装置。
【発明の詳細な説明】
【０００１】
【発明の属する技術分野】
本発明は、パチンコ機の発射操作部の操作量に応じた発射力で発射機を発射動作させるパチンコ球発射装置に関するものである。
【０００２】
【従来の技術】
一般的なパチンコ球発射装置は、発射操作ハンドルの回動操作により回転式可変抵抗器の抵抗値を調整し、その抵抗値に応じて発射モータの印加電圧を調整してパチンコ球の発射力を調整するようにしている。
【０００３】
この場合、発射操作ハンドルの発射操作開始時に、直ぐに発射モータを駆動すると、発射操作ハンドルの回動操作量が少なく、十分な発射力が得られない時点で発射されたパチンコ球は、遊技盤面に打ち出されずにファール球となって発射レールを逆戻りする。この状態では、順次発射されてくるパチンコ球が発射レール上で先のファール球に次々に衝突してファール球となり、なかなか、遊技盤面にパチンコ球を打ち出すことができないという事態が発生する。
【０００４】
そこで、発射動作開始時のファール球を防止するために、発射操作ハンドルが所定角度回動操作された時にオンする発射スイッチを設け、発射操作開始時に発射スイッチがオンするまで発射動作を禁止し、発射スイッチがオンしてから発射動作を開始することで、発射動作開始時の発射力が、パチンコ球を遊技盤面に打ち出すことができる発射力となるようにしたものがある。
【０００５】
【発明が解決しようとする課題】
しかし、上記発射スイッチを備えたパチンコ球発射装置でも、製造ばらつきや、経年変化、盤面交換等によりパチンコ球の飛び具合が変化する。従って、発射動作開始時のファール球防止の面から見れば、飛び具合のばらつきを考慮して、発射動作開始時の発射力をある程度余裕を持たせて大きく設定することが好ましいが、そうすると、遊技中に遊技盤面ぎりぎりに打ち出すような弱い打ち方ができなくなってしまう［遊技中の最低発射力が発射スイッチの位置（発射動作開始時の発射力）で決まるためである］。このため、遊技性の観点からは、発射動作開始時の発射力（最低発射力）をファール球を防止できる範囲内で、できるだけ低く設定することが好ましいため、パチンコホールでは、パチンコ機毎に発射スイッチの位置を調整したり、或は、発射操作用の可変抵抗器とは別に設けられた飛びむら調整用の可変抵抗器を調整する必要が生じ、このような調整をパチンコホール内の全てのパチンコ機毎に行うことは大変な労力を要する。
【０００６】
本発明はこのような事情を考慮してなされたものであり、従ってその目的は、パチンコ機毎に発射力の調整を行わなくても、発射動作開始時のファール球を防止でき、しかも、発射動作開始後はパチンコ球の発射力を発射動作開始時よりも弱い発射力まで調整することができて、発射力の操作範囲を拡大することができるパチンコ球発射装置を提供することにある。
【００１０】
【課題を解決するための手段】
請求項１に係る発明は、パチンコ機の発射操作部の操作量に応じた発射力で発射機を発射動作させるパチンコ球発射装置において、発射機の発射動作を開始する時は、発射操作部を、その初期位置からパチンコ球を遊技盤面に打ち出すことができる発射力に相当する第１操作位置まで操作した時に発射開始手段により発射機の発射動作を開始させ、発射機の発射動作を停止する時は、初期位置と第１操作位置との間に位置する第２操作位置まで発射操作部を戻し操作した時に発射停止手段により発射機の発射動作を停止させることを第１の特徴とし、更に、発射開始手段により発射動作を開始した後に、発射操作部が第１操作位置（発射動作開始位置）と第２操作位置（発射動作停止位置）との間に位置する時は、発射動作開始時よりも弱く且つパチンコ球を遊技盤面に打ち出すことができる発射力でパチンコ球を発射させることを第２の特徴とするものである。このようにすれば、製造ばらつきや、経年変化、盤面交換等によるパチンコ球の飛び具合のばらつきを考慮して、発射動作開始時の発射力をある程度余裕を持たせて大きく設定することができ、従来のようにパチンコ機毎に発射力の調整を行わなくても、発射動作開始時のファール球を確実に防止できる。しかも、発射動作開始後は、第１操作位置（発射動作開始位置）と第２操作位置（発射動作停止位置）との間で発射操作部を操作することで、パチンコ球を遊技盤面に打ち出すことができる範囲内で発射力を発射動作開始時よりも弱くすることができるので、遊技中に遊技盤面ぎりぎりに打ち出すような弱い打ち方も可能となる。
【００１１】
【発明の実施の形態】
［実施形態（１）］
以下、本発明に関連する参考例としての実施形態（１）を図１に基づいて説明する。まず、パチンコ球発射装置の回路構成を説明する。発射操作ハンドル１２（発射操作部）の内部には、発射操作ハンドル１２の回動操作量を電気信号に変換するための回転式可変抵抗器１３が設けられている。発射操作ハンドル１２の回動操作によって回転式可変抵抗器１３が回動されて、該回転式可変抵抗器１３の抵抗値が調整され、その抵抗値に応じた発射操作電圧Ｖs が発射制御回路１４に入力される。また、発射操作ハンドル１２には、遊技者が手を触れて回動操作したときにオン状態となる発射スイッチ１５（発射操作検出手段）が設けられ、この発射スイッチ１５のオン信号が後述する遅延回路１６を介して発射制御回路１４に入力される。
【００１２】
発射制御回路１４は、発射スイッチ１５のオン信号が入力されている時に、回転式可変抵抗器１３からの発射操作電圧Ｖs に応じて例えばＰＷＭ制御により発射モータ１７（発射機）の印加電圧を調整し、それによって発射モータ１７のトルクを調整してパチンコ球の発射力を調整する。
【００１３】
一方、遅延回路１６は、発射スイッチ１５がオンに切り換わってから所定時間が経過するまで発射制御回路１４ヘのオン信号の出力を禁止し、発射スイッチ１５がオンに切り換わってから所定時間が経過した後に、発射制御回路１４へオン信号を出力する。これにより、遊技者が発射操作ハンドル１２を回動操作し始めて（発射スイッチ１５がオンに切り換わって）から所定時間が経過するまで、発射モータ１７の発射動作が禁止される。ここで、所定時間は、遊技者が発射操作ハンドル１２を操作し始めてからパチンコ球を遊技盤面に打ち出すことができる発射力に相当する操作位置まで操作するのに要する時間より少し長い時間に設定されている。
【００１４】
以上のように構成されたパチンコ球発射装置では、遊技者が発射操作ハンドル１２を回動操作して発射スイッチ１５がオンに切り換わってから所定時間が経過した後に、発射モータ１７の発射動作を開始する。これにより、発射動作開始時に、パチンコ球を遊技盤面に打ち出すことができる発射力に相当する操作位置まで発射操作ハンドル１２を操作した頃に発射モータ１７の発射動作が開始されるため、発射動作開始当初からパチンコ球を遊技盤面に打ち出すのに十分な発射力でパチンコ球を打ち出すことができ、発射動作開始時のファール球を防止して、早期にゲームを開始することができる。
【００１５】
発射動作開始後は、発射操作電圧Ｖs に応じた発射力で発射モータ１７を発射動作させ、その後、発射操作ハンドル１２を発射停止位置（発射スイッチ１５がオフする位置）まで戻した時に発射スイッチ１５がオフされて、発射モータ１７の発射動作を停止する。これにより、発射動作開始後は、パチンコ球の発射力を発射動作開始時よりも弱い発射力まで調整することができ、パチンコ球を遊技盤面ぎりぎりに打ち出すような弱い打ち方もすることができる。
【００１６】
従って、従来のように、パチンコ機毎に発射力の調整を行わなくても、発射動作開始時のファール球防止と発射力の操作範囲拡大とを両立させることができ、飛びむら調整用の可変抵抗器を省略することができる。
【００１７】
尚、上記実施形態（１）では、発射スイッチ１５と発射制御回路１４との間に遅延回路１６を設けて、発射操作開始から所定時間が経過するまで、発射スイッチ１５のオン信号が発射制御回路１４に入力されることを禁止するようにしたが、回転式可変抵抗器１３と発射制御回路１４との間に遅延回路を設けて、発射操作開始から所定時間が経過するまで、回転式可変抵抗器１３の発射操作電圧Ｖs が発射制御回路１４に入力されることを禁止するようにしても良い。
【００１８】
［実施形態（２）］
次に、図２及び図３を用いて本発明の実施形態（２）を説明する。
本実施形態（２）では、回転式可変抵抗器１３の抵抗値によって調整された発射操作電圧Ｖs が、第１のコンパレータ１９の非反転入力端子（＋）と第２のコンパレータ２０の反転入力端子（−）に入力される。第１のコンパレータ１９の反転入力端子（−）には、第１の可変抵抗器２１で調整された発射開始電圧Ｖonが入力され、このコンパレータ１９の出力端子が発射制御回路１４のＯＮ端子に接続されている。また、第２のコンパレータ２０の非反転入力端子（＋）には、第２の可変抵抗器２３で調整された発射停止電圧Ｖoff が入力され、このコンパレータ２０の出力端子が発射制御回路１４のＯＦＦ端子に接続されている。尚、可変抵抗器２１，２３は、固定抵抗器又は半固定抵抗器に代えても良い。
【００１９】
ここで、発射開始電圧Ｖonは、製造ばらつきや、経年変化、盤面交換等によるパチンコ球の飛び具合のばらつきを考慮して、パチンコ球を遊技盤面に打ち出すのに十分な発射力に相当する電圧値に設定されている。発射停止電圧Ｖoff は、パチンコ球を遊技盤面にぎりぎり打ち出せる程度の発射力に相当する電圧値に設定されている（Ｖon＞Ｖoff ）。
【００２０】
次に、本実施形態（２）のパチンコ球発射装置の動作を説明する。
遊技者が発射操作ハンドル１２を回動操作し、発射操作電圧Ｖs が上昇して発射開始電圧Ｖonを越えると、第１のコンパレータ１９の出力がハイレベルに反転し、このハイレベル信号が発射制御回路１４のＯＮ端子に入力されて、発射モータ１７の発射動作が開始される（図３参照）。この発射動作が開始される位置が特許請求の範囲でいう第１操作位置に相当する。尚、第１のコンパレータ１９の出力によるオン信号は、次に第２のコンパレータ２０の出力によるオフ信号が入力されるまで、ラッチ回路（図示せず）で保持される。この場合、第１のコンパレータ１９が特許請求の範囲でいう発射開始手段として機能する。
【００２１】
遊技中に、発射操作ハンドル１２を戻し、発射操作電圧Ｖs が下降して発射停止電圧Ｖoff 以下になると、第２のコンパレータ２０の出力がハイレベルに反転し、このハイレベル信号が発射制御回路１４のＯＦＦ端子に入力されて、発射モータ１７の発射動作が停止される（図３参照）。この発射動作が停止される位置が特許請求の範囲でいう第２操作位置に相当する。この場合、第２のコンパレータ２０が特許請求の範囲でいう発射停止手段として機能する。
【００２２】
以上説明した本実施形態（２）によれば、発射開始電圧Ｖon（発射動作開始時の発射力）を、製造ばらつきや、経年変化、盤面交換等によるパチンコ球の飛び具合のばらつきを考慮して、ある程度余裕を持たせてパチンコ球を遊技盤面に打ち出すのに十分な発射力に相当する電圧に設定し、発射操作電圧Ｖs がこの発射開始電圧Ｖonを越えた時に、発射モータ１７の発射動作を開始するようにしたので、従来のようにパチンコ機毎に発射力の調整を行わなくても、発射動作開始当初からパチンコ球を遊技盤面に打ち出すのに十分な発射力でパチンコ球を打ち出すことができ、ファール球を確実に防止することができる。
【００２３】
しかも、発射動作／発射停止の切り換えにヒステリシスを持たせて、発射停止電圧Ｖoff をパチンコ球を遊技盤面にぎりぎり打ち出せる程度の発射力に相当する電圧に設定し、遊技中に発射操作電圧Ｖs がこの発射停止電圧Ｖoff 以下となった時に、発射モータ１７の発射動作を停止するようにしたので、発射動作開始後は、パチンコ球の発射力を発射動作開始時よりも弱い発射力まで調整することができ、パチンコ球を遊技盤面ぎりぎりに打ち出すような弱い打ち方も可能となり、発射力の操作範囲を拡大することができる。
【００２４】
更には、前記実施形態（１）や後述する実施形態（３），（４）と比較してもスイッチとスイッチ操作部との位置調整やスイッチ自体の取付スペースなどを必要としないので、コンパクト化、組立簡単化が可能となる。
【００２５】
［実施形態（３）］
図４及び図５に示す本発明の実施形態（３）は、機械的な方法で、発射動作／発射停止の切り換えにヒステリシスを持たせた実施形態である。
本実施形態（３）では、図４に示すように、発射操作ハンドル１２には、発射開始スイッチ２５と発射停止スイッチ２６が設けられ、発射開始スイッチ２５が発射制御回路１４のＯＮ端子に接続され、発射停止スイッチ２６が発射制御回路１４のＯＦＦ端子に接続されている。
【００２６】
また、図５に示すように、発射操作ハンドル１２と一体的に回動する回転体２８の外周には、発射開始スイッチ２５を作動させるための第１の凸部２９と、発射停止スイッチ２６を作動させるための第２の凸部３０が、回転方向に例えば１８０°離して設けられている。
【００２７】
発射操作ハンドル１２は、図５（ａ）に示す初期位置から時計回り方向に最大回動位置［図５（ｃ）参照］まで回動可能となっており、発射操作ハンドル１２の初期位置において、第１の凸部２９から時計回り方向に所定の発射開始角θon離れた位置（第１操作位置）に発射開始スイッチ２５が配置され、第２の凸部３０から時計回り方向に所定の発射停止角θoff 離れた位置（第２操作位置）に発射停止スイッチ２６が配置されている。ここで、発射開始角θon（第１操作位置）は、製造ばらつきや、経年変化、盤面交換等によるパチンコ球の飛び具合のばらつきを考慮して、パチンコ球を遊技盤面に打ち出すのに十分な発射力に相当する発射操作ハンドル１２の回動角（回動操作量）に設定され、例えば３０°に設定されている。また、発射停止角θoff （第２操作位置）は、パチンコ球を遊技盤面ぎりぎりに打ち出せる程度の発射力に相当する発射操作ハンドル１２の回動角（回動操作量）に設定され、例えば１５°に設定されている。
【００２８】
遊技者が発射操作ハンドル１２を回動操作し、図５（ｂ）に示すように、発射操作ハンドル１２の回動角が発射開始角θonに達すると、第１の凸部２９が発射開始スイッチ２５のアクチュエータを押してこれをオン作動させ、発射モータ１７の発射動作を開始する。尚、発射開始スイッチ２５のオン信号は、次に発射停止スイッチ２６がオン作動するまでラッチ回路（図示せず）で保持される。この場合、発射開始スイッチ２５、回転体２８及び第１の凸部２９が特許請求の範囲でいう発射開始手段として機能する。
【００２９】
遊技中に、図５（ｄ）に示すように、発射操作ハンドル１２の回動角が発射動作停止角θoff まで戻されると、第２の凸部３０が発射停止スイッチ２６のアクチュエータを押してこれをオン作動させ、発射モータ１７の発射動作を停止させる。この場合、発射停止スイッチ２６、回転体２８及び第２の凸部３０が特許請求の範囲でいう発射停止手段として機能する。
【００３０】
以上説明した実施形態（３）においても、パチンコ機毎に発射力の調整を行わなくても、発射動作開始時のファール球を防止することができると共に、発射動作開始後は、パチンコ球の発射力を発射動作開始時よりも弱い発射力まで調整することができる。
【００３１】
その他、前記実施形態（２）の方法と組み合わせて、発射開始スイッチ２５、発射停止スイッチ２６のどちらか一方の代わりにコンパレータを使用することでも同様の効果を得ることは可能である。
【００３２】
［実施形態（４）］
図６及び図７に示す本発明の実施形態（４）も、機械的な方法で発射動作／発射停止の切り換えにヒステリシスを持たせるようにしている。
本実施形態（４）では、発射操作ハンドル１２に、１つの発射スイッチ３２が設けられ、この発射スイッチ３２が発射制御回路１４に接続されている。
【００３３】
図７に示すように、発射操作ハンドル１２と一体的に回動する第１の回転体３４の外周側に、第２の回転体３５が同軸状に回動自在で、且つ、外部からの作用がない限りその位置を保持するように設けられている。第１の回転体３４の外周部に設けられた突起部３７が、第２の回転体３５の内周部に形成された凹部３８内に入り込み、第１の回転体３４の回動に伴って突起部３７が凹部３８の側壁に当接することで第２の回転体３５が回動される。この場合、凹部３８の回転方向の幅によって発射動作／発射停止のヒステリシス特性が設定されている。第２の回転体３５の外周部には、発射スイッチ３２をオンするための凸部３６が回転方向に延びるように形成されている。尚、発射力（発射操作電圧Ｖs ）を調整する回転式可変抵抗器１３は、発射操作ハンドル１２と一体的に回動する。
【００３４】
発射操作ハンドル１２は、図７（ａ）に示す初期位置から時計回り方向に最大回動位置［図７（ｃ）参照］まで回動可能となっており、発射操作ハンドル１２の初期位置において、凸部３６から時計回り方向に少し離れた位置に発射スイッチ３２が配置されている。
【００３５】
図７（ａ）に示す発射操作ハンドル１２の初期位置では、突起部３７が凹部３８の左側壁に当接した状態となっている。この状態から発射操作ハンドル１２を時計回り方向に回動操作すると、第１の回転体３４が突起部３７と一体に時計回り方向に回動するが、突起部３７が凹部３８内を時計回り方向に移動している間は、第２の回転体３５は回動しない。
【００３６】
その後、突起部３７が凹部３８の右側壁に当接すると、発射操作ハンドル１２と第１の回転体３４と第２の回転体３５の三者が一体に時計回り方向に回動し、図７（ｂ）に示すように、発射操作ハンドル１２の回動角が発射開始角θon（第１操作位置）に達すると、第２の回転体３５の外周の凸部３６が発射スイッチ３２のアクチュエータを押してこれをオン作動させ、発射モータ１７の発射動作を開始する。ここで、発射開始角θonは、製造ばらつきや、経年変化、盤面交換等によるパチンコ球の飛び具合のばらつきを考慮して、パチンコ球を遊技盤面に打ち出すのに十分な発射力に相当する回動角に設定され、例えば３０°に設定されている。
【００３７】
発射動作開始後は、図７（ｂ），（ｃ）に示すように、発射動作開始位置から最大回動位置までの範囲で、第２の回転体３５の外周の凸部３６によって発射スイッチ３２がオン状態に維持され、発射操作ハンドル１２の回動角に応じた発射操作電圧Ｖs に応じて、発射モータ１７の発射力が調整される。
【００３８】
その際、発射操作ハンドル１２を反時計回り方向に回動操作して、突起部３７を凹部３８の左側壁に当接させると、発射操作ハンドル１２と第１の回転体３４と第２の回転体３５の三者が一体的に反時計回り方向に回動する。そして、図７（ｄ）に示すように、発射操作ハンドル１２が初期位置よりも少し手前に設定された発射動作停止位置（発射停止角θoff ：第２操作位置) に戻されると、第２の回転体３５の外周の凸部３６が発射スイッチ３２から離れて発射スイッチ３２がオフ状態となり、発射モータ１７の発射動作が停止される。従って、発射操作ハンドル１２が発射動作停止位置に戻されるまでは、第２の回転体３５の外周の凸部３６によって発射スイッチ３２がオン状態に保持され、発射操作ハンドル１２の回動角に応じた発射操作電圧Ｖs に応じて、発射モータ１７の発射力が調整される。尚、発射動作停止位置（発射停止角θoff)は、パチンコ球を遊技盤面ぎりぎりに打ち出せる程度の発射力に相当する位置に設定されている。
【００３９】
この場合、発射動作停止時の発射力は、発射動作開始時の発射力と比較して、凹部３８の回転方向の幅に相当する回動角分だけ低い発射力となり、前記各実施形態と同様の効果を得ることができる。尚、ここでは、第１の回転体３４に突起部３７を設け、第２の回転体３５に凹部３８を設けるようにしたが、これとは逆に、第１の回転体３４に凹部を設け、第２の回転体３５に突起部を設けた構成としても良い。
【００４０】
以上説明した実施形態（４）では、発射スイッチ３２、第１の回転体３４、突起部３７、第２の回転体３５、凹部３８及び凸部３６が特許請求の範囲でいう発射開始手段と発射停止手段としての役割を果たす。
【００４１】
尚、上記実施形態（３），（４）で使用する発射開始スイッチ２５、発射停止スイッチ２６、発射スイッチ３２は、マイクロスイッチ等の接触式のスイッチでも良いが、光センサ等の非接触式のスイッチを用いるようにしても良い。
【００４２】
［実施形態（５）］
上記各実施形態では、ハードウェアによって発射モータ１７の発射動作／発射停止を制御するようにしたが、図８に示す本発明に関連する参考例としての実施形態（５）では、前記実施形態（１）と同等の制御をソフトウェアによって実現している。従って、本実施形態（５）のパチンコ球発射装置のハードウエア構成は、従来と同じで良い。
【００４３】
本実施形態（５）では、発射制御回路によって図８に示す制御プログラムを発射タイミング毎に実行することで、発射モータの発射動作／発射停止を制御する。本プログラムが起動されると、まず、ステップ１０１で、発射操作用の回転式可変抵抗器から出力される発射操作電圧Ｖs を読み込み、次のステップ１０２で、発射動作停止中か否かを判定する。もし、発射動作停止中であれば、ステップ１０３に進み、発射操作ハンドルの発射操作が開始されたか否かを発射操作電圧Ｖs から判定し、発射操作が開始されていなければ、そのまま本プログラムを終了する。
【００４４】
その後、ステップ１０３で、発射操作ハンドルの発射操作が開始されたと判定された時に、ステップ１０４に進み、発射操作開始から所定時間が経過したか否かを判定する。ここで、所定時間は、遊技者が発射操作ハンドル１２を操作し始めてからパチンコ球を遊技盤面に打ち出すことができる発射力に相当する操作位置まで操作するのに要する時間よりも少し長い時間に設定されている。
【００４５】
発射操作開始から所定時間経過する前は、ステップ１０４で「Ｎｏ」と判定され、発射動作開始処理（ステップ１０５）を行うことなく本プログラムを終了し、発射動作を開始しない。その後、発射操作開始から所定時間が経過した後に、ステップ１０５に進み、発射操作電圧Ｖｓに応じた発射力で発射モータの発射動作を開始する。
【００４６】
発射動作開始後は、ステップ１０２からステップ１０６に進み、発射操作電圧Ｖs が発射停止電圧Ｖoff 以下か否かを判定する。ここで、発射停止電圧Ｖoff は、パチンコ球を遊技盤面ぎりぎりに打ち出せる程度の発射力に相当する電圧値に設定されている（Ｖoff ＝０でも良い）。
【００４７】
発射操作電圧Ｖs が発射停止電圧Ｖoff よりも高ければ、ステップ１０７に進み、発射操作電圧Ｖs に応じた発射力で発射モータ１７を発射動作させる。その後、ステップ１０６で、発射操作電圧Ｖs が発射停止電圧Ｖoff 以下と判定された時に、ステップ１０８に進み、発射モータ１７の発射動作を停止する。
【００４８】
以上説明した実施形態（５）では、前記実施形態（１）の発射モータ１７の発射動作／発射停止制御を、発射スイッチ１５や遅延回路１６を設けることなく実施することができ、構成を簡単化できる利点がある。
【００４９】
［実施形態（６）］
本発明の実施形態（６）では、前記実施形態（２）と同等の制御をソフトウェアによって実現している。従って、本実施形態（６）のパチンコ球発射装置のハードウエア構成は、従来と同じで良い。
【００５０】
本実施形態（６）では、発射制御回路によって図９に示す制御プログラムを発射タイミング毎に実行することで、発射モータの発射動作／発射停止を制御する。図９のプログラムは、前記実施形態（５）で説明した図８のプログラムのステップ１０３，１０４の処理をステップ１０４ａの処理に変更したものであり、これ以外のステップは図８と同じである。
【００５１】
本プログラムでは、ステップ１０２で、発射動作停止中と判定されたときに、ステップ１０４ａに進み、発射操作電圧Ｖs が発射開始電圧Ｖon以上か否かを判定する。ここで、発射開始電圧Ｖonは、パチンコ球を遊技盤面に打ち出すのに十分な発射力に相当する電圧値に設定されている。
【００５２】
発射操作電圧Ｖs が発射開始電圧Ｖonよりも低ければ、発射動作開始処理（ステップ１０５）を行うことなく本プログラムを終了し、発射動作を開始しない。その後、発射操作電圧Ｖs が発射開始電圧Ｖon以上と判定された時に、ステップ１０５に進み、発射操作電圧Ｖｓに応じた発射力で発射モータ１７の発射動作を開始する。この場合、ステップ１０４ａの処理が特許請求の範囲でいう発射開始手段としての役割を果たし、ステップ１０６の処理が特許請求の範囲でいう発射停止手段としての役割を果たす。
【００５３】
以上説明した実施形態（６）では、前記実施形態（２）の発射モータ１７の発射動作／発射停止制御を、コンパレータ１９，２０や可変抵抗器２１，２３を設けることなく実施することができ、構成を簡単化できる利点がある。
【００５４】
尚、前記実施形態（２）〜（６）では、発射動作停止時の発射力を、パチンコ球を遊技盤面ぎりぎりに打ち出せる程度の発射力に設定したが、これよりも弱い発射力に設定しても良いことは言うまでもない。また、発射モータに代えて、ソレノイドを用いた発射機にも本発明を適用できる。
【００５７】
【発明の効果】
以上の説明から明らかなように、請求項１に係る発明では、パチンコ球を遊技盤面に打ち出すことができる発射力に相当する第１操作位置まで発射操作部を操作した時に発射機の発射動作を開始させ、発射動作開始時よりも弱い発射力に相当する第２操作位置まで発射操作部を戻し操作した時に発射機の発射動作を停止させると共に、発射操作部が第１操作位置と第２操作位置との間に位置する時は、発射動作開始時よりも弱く且つパチンコ球を遊技盤面に打ち出すことができる発射力でパチンコ球を発射させるようにしたので、パチンコ機毎に発射力の調整を行わなくても、発射動作開始時のファール球を確実に防止でき、しかも、発射動作開始後はパチンコ球の発射力を発射動作開始時よりも弱い発射力まで調整することができて、発射力の操作範囲を拡大することができる。
【図面の簡単な説明】
【図１】  本発明に関連する参考例としての実施形態（１）のパチンコ球発射装置の制御系の電気的構成を示す回路図
【図２】本発明の実施形態（２）のパチンコ球発射装置の制御系の電気的構成を示す回路図
【図３】発射動作開始／発射動作停止の切り換え特性を示す図
【図４】本発明の実施形態（３）のパチンコ球発射装置の制御系の電気的構成を示す回路図
【図５】実施形態（３）の発射操作ハンドルの異なる回動操作状態を示すもので、（ａ）は初期位置を示す図、（ｂ）は発射動作開始位置を示す図、（ｃ）は最大回動位置を示す図、（ｄ）は発射動作停止位置を示す図
【図６】本発明の実施形態（４）のパチンコ球発射装置の制御系の電気的構成を示す回路図
【図７】実施形態（４）の発射操作ハンドルの異なる回動操作状態を示すもので、（ａ）は初期位置を示す図、（ｂ）は発射動作開始位置を示す図、（ｃ）は最大回動位置を示す図、（ｄ）は発射動作停止位置を示す図
【図８】  本発明に関連する参考例としての実施形態（５）における発射動作制御プログラムの処理の流れを示すフローチャート
【図９】本発明の実施形態（６）における発射動作制御プログラムの処理の流れを示すフローチャート
【符号の説明】
１２…発射操作ハンドル（発射操作部）、１３…回転式可変抵抗器、１４…発射制御回路、１５…発射スイッチ（発射操作検出手段）、１６…遅延回路（発射禁止手段）、１７…発射モータ（発射機）、１９…第１のコンパレータ（発射開始手段）、２０…第２のコンパレータ（発射停止手段）、２５…発射開始スイッチ（発射開始手段）、２６…発射停止スイッチ（発射停止手段）、２８…回転体（発射開始手段，発射停止手段）、２９…第１の凸部（発射開始手段）、３０…第２の凸部（発射停止手段）、３２…発射スイッチ（発射開始手段，発射停止手段）、３４…第１の回転体（発射開始手段、発射停止手段）、３５…第２の回転体（発射開始手段、発射停止手段）、３６…凸部、３７…突起部、３８…凹部。
【図１】
0004424629.tif 000002
【図２】
0004424629.tif 000003
【図３】
0004424629.tif 000004
【図４】
0004424629.tif 000005
【図５】
0004424629.tif 000006
【図６】
0004424629.tif 000007
【図７】
0004424629.tif 000008
【図８】
0004424629.tif 000009
【図９】
0004424629.tif 000010